(57)【要約】      （修正有）【課題】ガイド部材を所定の位置に保持でき、かつ装置の小型化が実現可能な手段を提供する。【解決手段】複合機は、シートを支持する給送カセットから延出する搬送経路８０を有する筐体と、搬送経路８０を搬送されるシートに画像を記録する記録部と、搬送経路８０を規定する起立状態及び搬送経路８０を開放する開放状態に回動可能なガイド部材２２と、搬送経路８０の湾曲内側を規定する外側ガイド部材１８と、シートを支持するバイパストレイ７０と、バイパストレイ７０に支持されたシートの先端と当接する案内部材９７と、バイパストレイ７０から延出されて搬送経路８０と接続されるバイパス経路６６とを具備する。ガイド部材２２は、リブ７７が搬送経路８０の一部を規定し且つリブ７８がバイパス経路６６の一部を規定するものであり、リブ７８が案内部材９７から突出された突片５１と係合することで起立状態に保持される。【選択図】図６
2015193449.tif 000002
【特許請求の範囲】
【請求項１】
シートを支持する第１トレイと、
上記第１トレイから上側へ湾曲した湾曲部分及び当該湾曲部分に連続する延出部分を有する第１搬送路を有する筐体と、
上記第１トレイからシートを上記第１搬送路に沿って給送する給送ローラと、
上記第１搬送路において上記給送ローラの搬送向き下流側に配置されており、シートを搬送する搬送ローラと、
上記第１搬送路において上記搬送ローラの上記搬送向き下流側に配置されており、上記第１搬送路の延出部分を搬送されるシートに画像を記録する記録部と、
上記搬送ローラより上記搬送向き上流側に配置されており、上記第１搬送路の湾曲部分の外側を規定するとともに、上記搬送向きの上流側を軸とし上記搬送向きの下流側を回動先端側として回動されることによって、上記湾曲部分を規定する第１位置、及び上記湾曲部分を開放する第２位置に移動可能な第１ガイド部材と、
上記第１搬送路の湾曲部分の内側を規定する第２ガイド部材と、
シートを支持する支持面を有する第２トレイと、
上記第２トレイに設けられており、上記支持面と交差する案内面を有する案内部材と、
上記筐体に設けられており、上記第２トレイから延出されており、上記搬送ローラより上記搬送向き上流側において上記第１搬送路と接続される第２搬送路と、を具備しており、
上記第１ガイド部材は、湾曲内側を向いた第１面が上記第１搬送路の一部を規定し、且つ上記第１ガイド部材に対して湾曲外側を向いた第２面が上記第２搬送路の一部を規定するものであり、上記案内部材から上記第２搬送路へ向かって突出された突片と係合することにより、上記第１位置に保持されるものである画像記録装置。
【請求項２】
上記第１ガイド部材は、上記第１面以外の箇所に設けられた係合部が上記筐体と係合することにより、上記第１位置に保持されるものである請求項１に記載の画像記録装置。
【請求項３】
上記第１ガイド部材に、上記突片側へ突出して上記搬送向きに沿って延びて上記第２搬送路の一部を規定するリブが設けられており、
上記突片は、上記リブと係合するものである請求項１又は２に記載の画像記録装置。
【請求項４】
上記突片は、第３面が上記案内面の一部を構成するものであり、当該第３面と反対側の第４面側において上記リブと係合する請求項３に記載の画像記録装置。
【発明の詳細な説明】
【技術分野】
【０００１】
本発明は、搬送路に沿ってシートを搬送して画像記録を行う画像記録装置に関する。
【背景技術】
【０００２】
装置筐体の内部に搬送経路が設けられており、搬送経路に沿って搬送されるシートに画像を記録する画像記録装置が知られている。画像記録装置には、複数枚のシートを支持する給紙カセットを有するものがある。また、給紙カセットとは別に、シートを搬送経路へ案内するための手差しトレイを有する画像記録装置がある（特許文献１）。
【０００３】
メンテナンスや紙詰まりの解消のために、Ｕターン搬送路を規定するガイド部材が、回動しない（固定の）ガイド部材と、回動軸を中心として回動可能なガイド部材とから構成されている画像記録装置がある。この回動可能なガイド部材は、回動軸の回動中心方向に沿った側面視で略Ｌ字形状である。この構成によれば、ユーザが、回動可能なガイド部材の一部を回動させてＵターン搬送路を開放することにより、画像記録装置内のＵターン搬送路に対してユーザが外部からアクセス可能となる（特許文献２）。
【先行技術文献】
【特許文献】
【０００４】
【特許文献１】特開２０１３−１６６６２３号公報
【特許文献２】特開２０１０−１７３８４１号公報
【発明の概要】
【発明が解決しようとする課題】
【０００５】
前述されたガイド部材（Ｕターン搬送路の一部を構成するとともに回動可能なガイド部材）は、搬送路としてシートと当接するガイド面以外の箇所、例えば、左右方向の両側において装置筐体と係合することにより、所定の位置に保持される。しかしながら、シートが搬送されるときには、シートの左右方向におけるほぼ中央付近のガイド面に特に負荷が加わる。これは、シートが搬送されるときには、シートの左右方向における全領域がガイド面によって案内されるのではなく、搬送抵抗を極力低減するとともにシート搬送時の斜行も低減するために、シートの左右方向におけるほぼ中央付近がガイド面によって案内されるためである。したがって、ガイド部材において負荷が生じる位置と、ガイド部材が装置筐体と係合されている位置とが左右方向において異なる。その結果、ガイド部材が撓んだり捻れたりする可能性がある。
【０００６】
この可能性を更に低減するためには、ガイド部材において負荷が生じる位置に装置筐体との係合部を設けることが考えられる。具体的には、ガイド部材の左右方向の中央付近に装置筐体と係合する係合部を設けるのである。しかしながら、シートが案内されるべきガイド面には係合部を設けることができないので、ガイド面以外の箇所において更にガイド部材に係合部を設けることになる。すると、ガイド部材の外形寸法が大きくなり、惹いては装置が大型化するというおそれがある。また、ガイド部材の外形寸法が大きくなると、ガイド部材を回動させるための空間も大きく採らざるを得なくなる。
【０００７】
本発明は、上記課題に鑑みてなされたものであり、その目的は、ガイド部材を所定の位置に安定して保持でき、かつ装置の小型化が実現可能な手段を提供することにある。
【課題を解決するための手段】
【０００８】
(1)  本発明に係る画像記録装置は、シートを支持する第１トレイと、上記第１トレイから上側へ湾曲した湾曲部分及び当該湾曲部分に連続する延出部分を有する第１搬送路を有する筐体と、上記第１トレイからシートを上記第１搬送路に沿って給送する給送ローラと、上記第１搬送路において上記給送ローラの搬送向き下流側に配置されており、シートを搬送する搬送ローラと、上記第１搬送路において上記搬送ローラの上記搬送向き下流側に配置されており、上記第１搬送路の延出部分を搬送されるシートに画像を記録する記録部と、上記搬送ローラより上記搬送向き上流側に配置されており、上記第１搬送路の湾曲部分の外側を規定するとともに、上記搬送向きの上流側を軸とし上記搬送向きの下流側を回動先端側として回動されることによって、上記湾曲部分を規定する第１位置、及び上記湾曲部分を開放する第２位置に移動可能な第１ガイド部材と、上記第１搬送路の湾曲部分の内側を規定する第２ガイド部材と、シートを支持する支持面を有する第２トレイと、上記第２トレイに設けられており、上記支持面と交差する案内面を有する案内部材と、上記筐体に設けられており、上記第２トレイから延出されており、上記搬送ローラより上記搬送向き上流側において上記第１搬送路と接続される第２搬送路と、を具備する。上記第１ガイド部材は、湾曲内側を向いた第１面が上記第１搬送路の一部を規定し、且つ上記第１ガイド部材に対して湾曲外側を向いた第２面が上記第２搬送路の一部を規定するものであり、上記案内部材から上記第２搬送路へ向かって突出された突片と係合することにより、上記第１位置に保持される。
【０００９】
案内部材の突片と係合されることにより、第１ガイド部材の左右方向の中央側において第１ガイド部材が第２位置側へ回動しないように規制して、第１ガイド部材を第１位置に保持できる。
【００１０】
(2)  上記第１ガイド部材は、上記第１面以外の箇所に設けられた係合部が上記筐体と係合することにより、上記第１位置に保持されるものであってもよい。
【００１１】
係合部により、第１ガイド部材の左右方向の両側などにおいても、第１ガイド部材が第２位置側へ回動しないように規制して、第１ガイド部材を第１位置に保持できる。
【００１２】
(3)  上記第１ガイド部材に、上記突片側へ突出して上記搬送向きに沿って延びて上記第２搬送路の一部を規定するリブが設けられており、上記突片は、上記リブと係合するものであってもよい。
【００１３】
これにより、案内部材の突片を、第２搬送路を規定するリブと係合させることができる。
【００１４】
(4)  上記突片は、第３面が上記案内面の一部を構成するものであり、当該第３面と反対側の第４面側において上記リブと係合するものであってもよい。
【００１５】
突片により、案内面を第２搬送路へ延出して、案内面と第２搬送路との隙間を小さくできる。突片はリブと係合しているので、突片の位置が安定して、案内面から第２搬送路へ円滑にシートを案内できる。
【発明の効果】
【００１６】
本発明によれば、ガイド部材を所定の位置に安定して保持でき、かつ装置の小型化が実現される。
【図面の簡単な説明】
【００１７】
【図１】図１は、可動部６９が起立状態の複合機１０の斜視図であり、（Ａ）には複合機１０の前面側が示されており、（Ｂ）には複合機１０の後面側が示されている。
【図２】図２は、ガイド部材２２が開放状態且つ外側ガイド部材１８が起立状態の複合機１０の後面側を示す斜視図である。
【図３】図３は、ガイド部材２２が開放状態且つ外側ガイド部材１８が倒伏状態の複合機１０の後面側を示す斜視図である。
【図４】図４は、プリンタ部１１の内部構造を示す縦断面図である。
【図５】図５は、ガイド部材２２及びガイド部材３４の湾曲内側を示す斜視図である。
【図６】図６は、図４におけるガイド部材３４付近を示す拡大図である。
【図７】図７は、図４において記録用紙１００が通過する状態のガイド部材３４付近を示す拡大図である。
【図８】図８は、図４において起立状態から倒伏状態へガイド部材２２が回動されるときのガイド部材３４付近を示す拡大図である。
【図９】図９は、左右方向９における突出部９５及び孔９２が形成された位置のプリンタ部１１の縦断面図である。
【図１０】図１０は、可撓部９３とガイド部材２２の回動先端８１付近とを模式的に示す平面図である。
【図１１】図１１は、案内部材９７とガイド部材２２とを模式的に示す斜視図である。
【発明を実施するための形態】
【００１８】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００１９】
［複合機１０の全体構成］
図１から図３に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００２０】
プリンタ部１１は、前面に開口１３が形成された筐体１４を有している。開口１３には、各種サイズの記録用紙を載置可能な給送トレイ２０及び排出トレイ２１が、前後方向８に挿抜可能に設けられている。給送トレイ２０の下方に給送カセット３０が設けられている。給送カセット３０は、給送トレイ２０には独立して各種サイズの記録用紙が載置可能である。給送カセット３０の底面が、複合機１０が設置される載置面に当接する。
【００２１】
図４に示されるように、プリンタ部１１は、給送トレイ２０から記録用紙を給送する給送部１５、給送カセット３０から記録用紙を給送する給送部３６、記録用紙に画像を記録する記録部２４、記録用紙を搬送する第１搬送ローラ対５４及び第２搬送ローラ対５５などを備えている。
【００２２】
図１から図３に示されるように、プリンタ部１１の上部には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２３】
［プリンタ部１１］
以下、プリンタ部１１の詳細な構造が説明される。
【００２４】
［給送トレイ２０］
給送トレイ２０は、前後方向８及び左右方向９の長さが上下方向７の長さよりも長い外形であって、上方が開放された箱型の形状を有している。給送トレイ２０の前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に収容されている。この給送トレイ２０は、開口１３を通じて筐体１４に対して前後方向８に沿って進退可能である。
【００２５】
［給送部１５］
図４に示されるように、給送部１５は、給送ローラ２５、給送アーム２６、駆動伝達機構２７及び分離パッド２３を備えている。給送部１５は、給送トレイ２０の上方であって記録部２４の下方に設けられている。給送ローラ２５は、給送アーム２６の先端部に回転可能に軸支されている。給送アーム２６は、基端部に設けられた軸２８を中心として、矢印２９の方向に回動する。給送アーム２６の回動に伴って、給送ローラ２５は、給送トレイ２０の支持面に対して当接及び離間する。したがって、記録用紙を収容した給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面に給送ローラ２５が当接する位置には分離パッド２３が設けられている。分離パッド２３は、記録用紙に対して、給送トレイ２０の支持面の摩擦係数よりも大きな摩擦係数を有する素材で形成されている。
【００２６】
給送ローラ２５には、モータ（不図示）の駆動力が駆動伝達機構２７を通じて伝達される。駆動伝達機構２７は、軸２８に伝達された回転を、複数のギヤが噛合されてなるギヤ列により給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材３５と当接する。その結果、一番上側の記録用紙のみが下側の記録用紙から分離されて搬送される。そして、分離部材３５と当接した下側の記録用紙は、最上位置の記録用紙に引き摺られることなく給送トレイ２０内に収容されたままで保持される。
【００２７】
［給送カセット３０］
給送カセット３０は、前後方向８及び左右方向９の長さが上下方向７の長さよりも長い外形であって、上方が開放された箱型の形状を有している。給送カセット３０は、前後方向８及び左右方向９において給送トレイ２０とほぼ同じ外形であり、給送トレイ２０の下方に配置されている。給送カセット３０は、例えば日本工業規格によるＡ４サイズからＡ３サイズ、更にはレターサイズやリーガルサイズ等の大小様々なサイズの記録用紙を支持面で支持することにより記録用紙を収容可能である。この給送カセット３０は、筐体１４に対して前後方向８に沿って進退可能である。給送カセット３０が第１トレイに相当する。
【００２８】
［給送部３６］
図４に示されるように、給送部３６は、給送ローラ４５、給送アーム４６、駆動伝達機構４７及び分離パッド３７を備えている。給送部３６は、給送トレイ２０の下方であって給送カセット３０の上方に設けられている。給送ローラ４５は、給送アーム４６の先端部に回転可能に軸支されている。給送アーム４６は、基端部に設けられた軸４８を中心として、矢印４９の方向に回動する。これにより、給送ローラ４５は、給送カセット３０の支持面に対して当接及び離間する。したがって、記録用紙を収容した給送カセット３０が筐体１４内に装着されたとき、給送ローラ４５は、給送カセット３０に収容された記録用紙に当接可能である。記録用紙を収容していない給送カセット３０が筐体１４内に装着されたとき、給送カセット３０の支持面に給送ローラ４５が当接する位置には分離パッド３７が設けられている。分離パッド３７は、記録用紙に対して、給送カセット３０の支持面の摩擦係数よりも大きな摩擦係数を有する素材で形成されている。
【００２９】
給送ローラ４５には、モータ（不図示）の駆動力が駆動伝達機構４７を通じて伝達される。駆動伝達機構４７は、軸４８に伝達された回転を複数のギヤが噛合されてなるギヤ列により給送ローラ４５の軸へ伝達する。給送ローラ４５が、給送カセット３０の支持面上に支持された記録用紙のうち一番上側の記録用紙に当接された状態で回転することにより、当該記録用紙が搬送経路８０へ給送される。記録用紙が搬送経路８０へ給送されるとき、記録用紙の先端が、給送カセット３０の前後方向８の後側に設けられた分離部材３８と当接する。その結果、一番上側の記録用紙のみが下側の記録用紙から分離されて搬送される。そして、分離部材３８と当接した下側の記録用紙は、最上位置の記録用紙に引き摺られることなく給送カセット３０内に収容されたままで保持される。
【００３０】
［搬送経路６５］
図４に示されるように、筐体１４の内部空間に設けられた搬送経路６５は、給送トレイ２０の後側から上方へＵターンするように湾曲して延び、さらにプリンタ部１１の後側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。直線路６５Ｂが延出部分に相当する。
【００３１】
湾曲路６５Ａは、記録用紙が通過可能な空間を隔てて対向する外側ガイド部材１８、内側ガイド部材１９、及びガイド部材３１によって規定されている。直線路６５Ｂは、シートが通過可能な空間を隔てて対向する記録部２４及びプラテン４２、並びにガイド部材３２及びガイド部材３３によって規定されている。
【００３２】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。
【００３３】
外側ガイド部材１８は、湾曲路６５Ａに沿って記録用紙が搬送されるとき、外側の案内面を構成する部材である。内側ガイド部材１９は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００３４】
ガイド部材３１は、第１搬送ローラ対５４の直上流（後側）において内側ガイド部材１９の上方に配置されている。外側ガイド部材１８及びガイド部材３１は、後述されるバイパス経路６６を規定する部材でもある。
【００３５】
［搬送経路８０］
図４に示されるように、筐体１４の内部空間に設けられた搬送経路８０は、給送カセット３０後側から上方へＵターンするように湾曲して延び、第１搬送ローラ対５４の直上流側（後側）において、搬送経路６５に接続されている。搬送経路８０が湾曲部分に相当する。また、搬送経路８０及び搬送経路６５の直線路６５Ｂによって第１搬送路が構成されている。
【００３６】
搬送経路８０は、記録用紙が通過可能な空間を隔てて対向する外側ガイド部材１８及びガイド部材２２によって規定されている。外側ガイド部材１８は、搬送経路６５の湾曲路６５Ａの湾曲外側を規定するものであるが、湾曲外側の面が、搬送経路８０においては、湾曲内側を規定している。ガイド部材２２は、搬送経路８０において湾曲外側を規定している。ガイド部材２２の詳細な構成については後述される。外側ガイド部材１８が第２ガイド部材に相当する。
【００３７】
給送カセット３０の給送ローラ４５によって搬送経路８０に沿って給送された記録用紙は、下方から上方へ向かって搬送向きが反転され、第１搬送ローラ対５４の直上流において搬送経路６５に進入する。
【００３８】
［第１搬送ローラ対５４及び第２搬送ローラ対５５］
図４に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車ローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。第１搬送ローラ６０が搬送ローラに相当する。
【００３９】
［記録部２４］
図４に示されるように、第１搬送ローラ対５４と第２搬送ローラ対５５との間に記録部２４が設けられている。記録部２４は、キャリッジ４１と記録ヘッド３９とを備えている。キャリッジ４１は、プラテン４２の後側及び前側に設けられたガイドレール４３，４４によって左右方向９に往復動可能に支持されている。ガイドレール４４には、公知のベルト機構が設けられている。キャリッジ４１は、ベルト機構の無端ベルトと連結されており、無端ベルトの回動によってガイドレール４３，４４に沿って左右方向９に往復動する。キャリッジ４１と記録ヘッド３９とが、プラテン４２と空間を隔てて対向しているとき、キャリッジ４１、記録ヘッド３９及びプラテン４２は直線路６５Ｂの一部を規定する。
【００４０】
記録ヘッド３９は、キャリッジ４１に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４１が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００４１】
［バイパス経路６６］
図６に示されるように、筐体１４の後面においてガイド部材２２の上方に開口６４が設けられている。筐体１４の内部には、開口６４から第１搬送ローラ対５４へと延びるバイパス経路６６が形成されている。バイパス経路６６は、筐体１４の内部において、前後方向８の後方から前方へ斜め下方に向かって延びる経路である。バイパス経路６６は、ガイド部材３１、外側ガイド部材１８及びガイド部材２２によって規定されている。ガイド部材３１は、バイパス経路６６に沿って記録用紙が搬送されるとき、上側の案内面を構成する部材である。外側ガイド部材１８及びガイド部材２２は、バイパス経路６６に沿って記録用紙が搬送されるとき、下側の案内面を構成する部材である。搬送経路６５の湾曲路６５Ａ及び直線路６５Ｂ、並びに搬送経路８０は、いずれもバイパス経路６６より下方に配置されている。外側ガイド部材１８及びガイド部材２２の上側が後ろ向きへ倒伏するように回動することによって、搬送経路６５の一部及び搬送経路８０の一部と共にバイパス経路６６の一部が筐体１４の外方に開放（露出）される。
【００４２】
後述されるバイパストレイ７０に収容された記録用紙は、バイパス経路６６に沿って斜め下方へ案内される。その記録用紙は、搬送経路６５の直線路６５Ｂに沿って案内され、第１搬送ローラ対５４により搬送される。その記録用紙は、更に記録部２４によって画像記録が行われて、排出トレイ２１へ排出される。このように、バイパストレイ７０に収容された記録用紙は、ほぼ直線形状の経路（記録用紙の表面と裏面とが上下方向７において反転することのない経路）に沿って搬送される。バイパス経路６６が第２搬送路に相当する。
【００４３】
［バイパストレイ７０］
図１，４に示されるように、複合機１０の後面側には、バイパストレイ７０が設けられている。バイパストレイ７０は、給送トレイ２０及び給送カセット３０とは独立して記録用紙を収容するものである。バイパストレイ７０が第２トレイに相当する。
【００４４】
筐体１４の後面側には、開口６４（図６〜図８参照）を覆うようにして下方へ延びる固定部６８が設けられている。固定部６８は、バイパストレイ７０の搬送向き下流側の一部を構成している。図４に示されるように、固定部６８の上側には、可動部６９が固定部６８に対して回動可能に設けられている。固定部６８及び可動部６９によって、バイパストレイ７０が構成されている。
【００４５】
固定部６８の下側に、案内部材９７が設けられている。案内部材９７は、上下方向７において開口６４とほぼ同等の高さに位置されている。図６に示されるように、案内部材９７の上面５６は、前側が後側よりも上方に位置する第１傾斜面５７と、当該第１傾斜面５７の前端と繋がった第２傾斜面５８とで構成されている。第２傾斜面５８は、前側が後側よりも下方に位置する。上面５６は、全体として概ね前後方向８に延びている。上面５６は、全体として概ね上下方向７に延びた支持面９０（図４参照）と交差している。支持面９０は後述される。
【００４６】
第１傾斜面５７に、分離片７２が設けられている。分離片７２の上面に、バイパストレイ７０に支持される記録用紙の先端が当接する。分離片７２の上面に、上方へ突出された複数の歯７３（図４、図６〜図８参照）が形成されている。複数の歯７３は、前後方向８に沿って並んでいる。バイパストレイ７０に支持される複数枚の記録用紙の先端は、歯７３によって捌かれる。
【００４７】
図６に示されるように、案内部材９７の前端部に、バイパス経路６６へ向けて突出した突片５１が形成されている。突片５１は、左右方向９において、少なくとも案内部材９７の中央部に形成されている。なお、突片５１は、１つのみ形成されていてもよいし、間隔を空けて複数形成されていてもよい。
【００４８】
本実施形態では、図１１に示されるように、突片５１は、左右方向９における中央部に間隔を空けて２つ形成されている。突片５１の各々は、ガイド部材２２に設けられた２つのリブ７８Ａの各々と対向する位置に形成されている。ガイド部材２２において２つのリブ７８Ａの間である左右方向９の中央には、揺動可能なガイド部材３４が設けられている。ガイド部材３４は揺動可能に構成されているため、２つのリブ７８をこのガイド部材３４に設けることができない。そこで、本実施形態では、２つのリブ７８Ａは、ガイド部材３４に近い位置、つまり左右方向９の中央に近い位置に設けられている。仮に、ガイド部材２２に揺動可能なガイド部材３４が設けられていなければ、リブ７８Ａは、ガイド部材２２における左右方向９の中央に１つのみ設けられてもよい。この場合、突片５１も、当該リブ７８Ａと対向する左右方向９の中央に１つ形成される。リブ７８Ａ及びガイド部材３４は、後述される。
【００４９】
突片５１の上面９８は、第２傾斜面５８の一部を構成している。上面９８は、第３面に相当する。突片５１の下面９９（上面９８と反対側の面）に、下方へ突出したリブ５２が形成されている。リブ５２は、頂点を持つ山形状である。下面９９は、第４面に相当する。後述するように、突片５１は、リブ５２が形成された下面９９側においてリブ７８Ａと係合する。
【００５０】
第２傾斜面５８は、開口６４へ向けて延びている。そのため、第２傾斜面５８は、バイパストレイ７０に支持される記録用紙をバイパス経路６６へ向けて案内できる。
【００５１】
可動部６９は、固定部６８の上側に固定部６８に対して回動可能に設けられている。可動部６９は、各図に示されるように、支持部材８８の支持面９０が上下方向７に沿って起立した起立状態と、起立状態から矢印５０（図４参照）へ回動して、上下方向７に対して支持面９０が傾斜した倒伏状態（図示せず）との間で回動可能である。起立状態とは、筐体１４の後面側における可動部６９のためのスペースを小さくするための状態であり、バイパストレイ７０の不使用状態である。起立状態である可動部６９の後面は、筐体１４の後面と略平行となっている。倒伏状態とは、可動部６９が筐体１４の外側へ向かって斜め上方へ傾斜した状態であり、バイパストレイ７０の使用状態である。可動部６９を起立状態とするか倒伏状態とするかは、ユーザが任意に操作することにより選択可能である。
【００５２】
可動部６９の上端には、トレイカバー９４が設けられている。トレイカバー９４は、支持部材８８に対して左右方向９に沿って延びる軸（図示せず）の周りに回動可能に設けられている。トレイカバー９４は、バイパストレイ７０の上端側の開口を封止して支持面９０側の空間を覆うことが可能な平板形状の部材である。
【００５３】
［ガイド部材２２］
図１から図４に示されるように、ガイド部材２２は、筐体１４に対して回動可能に支持されて、筐体１４の後面の一部を構成する部材である。ガイド部材２２は、下側の左右両端に設けられた軸７６（図５参照）が筐体１４に支持されている。ガイド部材２２が軸７６を回動の中心として筐体１４に対して回動されたとき、すなわち、図２，３に示されるように、ガイド部材２２の上側（回動先端側）が筐体１４に対して後ろ向きへ倒伏するように回動したとき、搬送経路８０の一部及びバイパス経路６６の一部が筐体１４の外方に開放（露出）される。ガイド部材２２が第１ガイド部材に相当する。
【００５４】
外側ガイド部材１８も、ガイド部材２２と同様に、下側の左右両端において筐体１４に対して回動可能に軸支されている。図２，３に示されるように、ガイド部材２２が倒伏する開放状態において、外側ガイド部材１８も、下側の左右方向９に沿った回動軸（図示せず）の周りに、上側が後ろ向きへ倒伏するように回動可能である。図３に示されるように、外側ガイド部材１８が後ろ向きへ倒伏するように回動することにより、湾曲路６５Ａの少なくとも一部が筐体１４の外方に開放（露出）される。図１（Ｂ）に示されるように、ガイド部材２２が起立状態となるように閉じられると、外側ガイド部材１８は、ガイド部材２２に後方から支持されて起立状態に維持され、内側ガイド部材１９と対向して湾曲路６５Ａを規定する。ガイド部材２２において、起立状態が第１位置に相当し、開放状態が第２位置に相当する。
【００５５】
ガイド部材２２は、筐体１４と係合することにより、起立状態に保持される。図２，３，５に示されるように、ガイド部材２２の上側の左右両端に、孔９２が形成されている。一方、図２，３に示されるように、筐体１４は、弾性変形によって左右方向９に撓む可撓部９３を備えている。可撓部９３は、筐体１４の右側及び左側にそれぞれ設けられているが、図２，３では、右側の可撓部９３のみが図示されている。左側の可撓部９３も右側の可撓部９３と面対称であり同一の構成であるので、以下、右側の可撓部９３を主に詳述する。右側の可撓部９３は、起立状態のガイド部材２２の右端に形成された孔９２の右方に、孔９２と対向して設けられている。左側の可撓部９３（不図示）は、起立状態のガイド部材２２の左端に形成された孔９２の左方に、孔９２と対向して設けられている。
【００５６】
可撓部９３は、孔９２へ向けて突出した突出部９５を備えている。突出部９５は、ガイド部材２２が起立状態のときに孔９２へ挿入される。これにより、起立状態のガイド部材２２は、筐体１４と係合される。孔９２が係合部に相当する。突出部９５の孔９２への挿入については、後に詳細に説明される。
【００５７】
図５に示されるように、ガイド部材２２は、搬送経路８０に沿って湾曲した板形状の部材である。ガイド部材２２は、湾曲内側を向いており且つ搬送経路８０の一部を規定する内面９１を有する。内面９１が第１面に相当する。内面９１に、複数のリブ７７が設けられている。リブ７７は、内面９１とともに搬送経路８０の一部を規定している。リブ７７は、起立状態のガイド部材２２において上下方向７に沿う搬送向きに沿って延出されている。リブ７７は、ガイド部材２２の左右方向９に間隔を空けて複数設けられている。複数のリブ７７のうち、左右方向９の中央に配置されたリブ７７Ａは、他のリブ７７に比べて、湾曲内側へ向かって突出する長さが長い。記録用紙１００が搬送されるとき、記録用紙１００は主としてこのリブ７７Ａに案内されて搬送される。その結果、記録用紙１００の搬送抵抗を低減できるとともに斜行も低減することができる。
【００５８】
ガイド部材２２は、湾曲外側を向いており且つバイパス経路６６の一部を規定する上面７５を有する。上面７５が第２面に相当する。上面７５に、複数のリブ７８が設けられている。リブ７８は、上面７５とともにバイパス経路６６の一部を規定している。リブ７８は、起立状態のガイド部材２２において前後方向８に沿う搬送向きに沿って延出されている。リブ７８は、ガイド部材２２の上面７５において左右方向９に間隔を空けて複数が設けられている。ガイド部材２２が筐体１４に対して起立状態で保持されるとき、これらのリブ７８は、上方へ向けて案内部材９７の突片５１側へ突出されている。複数のリブ７８のうち、左右方向９の中央付近に配置されたリブ７８Ａは、他のリブ７８に比べて、突片５１側へ向かって突出する長さが長い。これにより、リブ７８Ａは、対向する突片５１のリブ５２に当接する。
【００５９】
ガイド部材２２の上面７５において、左右方向９の中央には上下方向７の下方へ凹んだ凹部７９が設けられている。ガイド部材２２の凹部７９には、ガイド部材３４が設けられている。ガイド部材３４は、起立状態のガイド部材２２より上下方向７及び左右方向９の長さが短い部材である。ガイド部材３４は、ガイド部材２２と共に、搬送経路８０の湾曲外側の一部及びバイパス経路６６の下側の一部を規定する。ガイド部材３４が第３ガイド部材に相当する。
【００６０】
ガイド部材３４は、ガイド部材２２によって回動可能に支持されている。ガイド部材２２が起立状態にあるとき、ガイド部材３４は、給送カセット３０内に収容されている記録用紙の搬送向きの上流側、すなわち上下方向７の下側を基端側、上下方向７の上側を回動先端側として回動可能である。ガイド部材３４の回動先端８１は、ガイド部材２２の端８３より突出している。すなわち、図５，６に示されるように、ガイド部材２２が起立状態において、ガイド部材３４の回動先端８１は、ガイド部材２２の端８３より第１搬送ローラ６０に近い。また、ガイド部材３４の回動先端８１は、外側ガイド部材１８の端８６より第１搬送ローラ６０から遠い。
【００６１】
ガイド部材３４の左右方向９の両端は、ガイド部材２２の一部とオーバーラップしており、ガイド部材２２と当接することによって、ガイド部材３４の回動範囲が規制されている。ガイド部材２２が起立状態にあるときは、ガイド部材３４は、回動先端８１がガイド部材２２の湾曲外側に位置する外側位置（図７参照）と、湾曲内側に位置する内側位置（図６参照）とに回動可能である。起立状態のガイド部材２２において、ガイド部材３４に外力が付与されない状態では、ガイド部材３４は自重によって内側位置となる。このとき、ガイド部材３４の回動先端８１は、外側ガイド部材１８に当接している。換言すれば、ガイド部材３４の回動先端８１は、外側ガイド部材１８に載った状態になっている。ガイド部材２２が起立状態にあるとき、ガイド部材３４において、外側位置が第３位置に相当し、内側位置が第４位置に相当する。
【００６２】
ガイド部材３４は、起立状態のガイド部材２２の上側と同様な湾曲形状である。湾曲形状の内側には、複数のリブ８４が設けられている。リブ８４は、給送カセット３０から搬送される記録用紙の搬送向きに沿って延出されている。ガイド部材３４の左右方向９に間隔を空けて複数のリブ８４が設けられている。複数のリブ８４の先端によって形成される面が第１面に相当する。
【００６３】
ガイド部材３４の湾曲形状の外側であってガイド部材２２の上面７５に対応する位置には、複数のリブ８５が設けられている。リブ８５は、バイパストレイ７０から搬送される記録用紙の搬送向きに沿って延出されている。ガイド部材２２の左右方向９に間隔を空けて複数のリブ８５が設けられている。複数のリブ８５の先端によって形成される面が第２面に相当する。
【００６４】
［プリンタ部１１の動作］
以下、給送トレイ２０、給送カセット３０及びバイパストレイ７０がそれぞれ用いられたときのプリンタ部１１の動作が説明される。
【００６５】
バイパストレイ７０が用いられないときは、図１に示されるように、可動部６９が起立状態にされる。これにより、平面視における可動部６９の投影面積が小さくなるので、複合機１０の後面側のスペースを小さくすることができる。また、トレイカバー９４がバイパストレイ７０の上端の開口を塞ぐ位置に回動される。なお、複合機１０の後面側に十分なスペースがあれば、バイパストレイ７０が用いられないときでも可動部６９が倒伏状態にされたままであってもよい。
【００６６】
給送トレイ２０が用いられるときには、給送トレイ２０に所望のサイズの記録用紙がセットされる。具体的には、複数枚の記録用紙が積層された状態で、給送トレイ２０に収容される。記録用紙が収容された給送トレイ２０は、開口１３から筐体１４に挿入されて装着状態になる。この状態において、給送トレイ２０に収容された複数枚の記録用紙のうち最上位置の記録用紙に給送ローラ２５が当接する。プリンタ部１１は、ユーザの入力や印刷データなどに基づいて、給送トレイ２０から記録用紙を給送することになる。
【００６７】
印刷開始の指示を受け付けると、プリンタ部１１は不図示のモータを駆動して、給送ローラ２５、第１搬送ローラ対５４、及び第２搬送ローラ対５５を所定のタイミングで回転させる。給送ローラ２５の回転を受けて、給送トレイ２０から最上位置の記録用紙が搬送経路６５に沿って給送される。給送された記録用紙は、搬送経路６５の湾曲路６５Ａに沿って第１搬送ローラ対５４に到達する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５に挟持されて直線路６５Ｂに沿って搬送され、排出トレイ２１上へ排出される。
【００６８】
給送カセット３０が用いられるときには、同様にして給送カセット３０に所望のサイズの記録用紙１００がセットされる。プリンタ部１１は、ユーザの入力や印刷データなどに基づいて、給送カセット３０から記録用紙１００を給送することになる。
【００６９】
印刷開始の指示を受け付けると、プリンタ部１１は不図示のモータを駆動して、給送ローラ４５、第１搬送ローラ対５４、及び第２搬送ローラ対５５を所定のタイミングで回転させる。給送ローラ４５の回転を受けて、給送カセット３０から最上位置の記録用紙１００が搬送経路８０に沿って給送される。
【００７０】
搬送経路８０において、記録用紙１００はガイド部材２２のリブ７７，７７Ａ、特にはリブ７７Ａに沿って案内されて、記録用紙１００の先端がガイド部材３４に到達する。図６に示されるように、記録用紙１００が当接されていない状態では、ガイド部材３４は、自重によって内側位置に位置している。図７に示されるように、内側位置のガイド部材３４に記録用紙１００の先端が当接して、さらに記録用紙１００が搬送されることによって、内側位置のガイド部材３４が押し上げられて外側位置へ回動する。
【００７１】
記録用紙１００は、外側位置のガイド部材３４のリブ８４に沿って案内されて第１搬送ローラ対５４に到達する。第１搬送ローラ対５４に挟持されて記録部２４へ搬送された記録用紙１００に対して、記録ヘッド３９からインク滴が吐出されて所望の画像が記録される。画像記録を終えた記録用紙１００は、第２搬送ローラ対５５に挟持されて直線路６５Ｂに沿って搬送され、排出トレイ２１上へ排出される。
【００７２】
バイパストレイ７０が用いられるときは、可動部６９が倒伏状態にされる。また、トレイカバー９４は、バイパストレイ７０の上端側の開口を開放する位置へ回動される。バイパストレイ７０には、複数枚の記録用紙が積層された状態で、バイパストレイ７０の支持面９０に載置される。
【００７３】
印刷開始の指示を受け付けると、プリンタ部１１は不図示のモータを駆動して、バイパストレイ７０の給送ローラ（不図示）、第１搬送ローラ対５４、及び第２搬送ローラ対５５を所定のタイミングで回転させる。給送ローラの回転を受けて、バイパストレイ７０から最上位置の記録用紙がバイパス経路６６に沿って給送される。
【００７４】
バイパス経路６６に沿って給送された記録用紙は、内側位置のガイド部材３４のリブ８５に沿って案内されて、バイパス経路６６から更に搬送経路６５の直線路６５Ｂに沿って搬送され、第１搬送ローラ対５４に到達する。内側位置のガイド部材３４の回動先端８１は、外側ガイド部材１８に支持されているので、バイパス経路６６に沿って搬送される記録用紙がガイド部材３４に摺接しても、ガイド部材３４が内側位置から更に湾曲内側へ回動することはない。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５に挟持されて直線路６５Ｂに沿って搬送され、排出トレイ２１上へ排出される。
【００７５】
［ガイド部材２２の回動動作］
以下、ガイド部材２２の回動動作が説明される。搬送経路８０または湾曲路６５Ａにおいて紙詰まりが生じたときやメンテナンスが必要なときに、ガイド部材２２は、起立状態（図１（Ｂ）参照）から矢印５０（図４参照）へ回動される。これにより、ガイド部材２２は開放状態（図２参照）となり、少なくとも搬送経路８０の一部が筐体１４の外方に開放（露出）される。ガイド部材２２が開放状態のときに、外側ガイド部材１８が後向きへ倒伏するように回動されると、少なくとも湾曲路６５Ａの一部が筐体１４の外方に開放（露出）される（図３参照）。
【００７６】
搬送経路８０または湾曲路６５Ａに詰まった記録用紙が取り除かれた後、ガイド部材２２が矢印５０と逆向きへ回動される。ガイド部材２２が矢印５０と逆向きへ回動される過程において、リブ７８Ａ（図６参照）が、後方からリブ５２（図６参照）と当接する。リブ５２は、上述された通り、案内部材９７の上面９８から記録用紙１００の搬送向きに突出する突片５１の下面９９側に設けられている。ガイド部材２２の上面７５から突出しているリブ７８Ａは、リブ５２における山形状の頂上部（リブ５２の下端５２Ａ）よりも後側の部分（後面５２Ｂ）とまず当接する。ここで、リブ５２の下端５２Ａは、リブ７８Ａの上端よりも下方に位置する。よって、リブ５２が形成された突片５１は、リブ７８Ａに押されることによって上方へ撓む。
【００７７】
ガイド部材２２が更に回動されると、リブ７８Ａがリブ５２の下端５２Ａを乗り越える。これにより、上方へ撓んでいたリブ５２は、元の状態に戻ろうとする。その結果、リブ７８Ａとリブ５２の下端５２Ａよりも前側の部分（前面５２Ｃ）とが相互に力を及ぼし合うように係合される（図４，６，７参照）。換言すれば、リブ７８Ａがリブ５２から押圧されることにより（作用）、ガイド部材２２の左右方向９におけるほぼ中央付近に記録用紙１００の搬送に伴う負荷がかけられたとしても、ガイド部材２２は安定して起立状態が保持されるとともに、リブ５２がリブ７８Ａから押圧されることにより（反作用）、案内部材９７の突片５１は下方に垂れ下がることなく上方に向かって押圧された状態で保持される。
【００７８】
起立状態のガイド部材２２は、リブ５２に加えて、左右方向９の両端部において筐体１４とも係合する。
【００７９】
以下に詳述する。ガイド部材２２が矢印５０と逆向きへ回動される過程において、回動先端８１の左右両端部が、可撓部９３（図２，３参照）の突出部９５と当接する（図１０（Ａ）参照）。突出部９５が回動先端８１の左右両端部に押されることにより、可撓部９３は左右方向９に撓む（図１０（Ｂ）参照）。なお、突出部９５は、矢印５０の向きに対して傾斜した傾斜面を有しており、回動するガイド部材２２を当該傾斜面に沿って案内可能である。
【００８０】
ガイド部材２２が更に矢印５０と逆向きへ回動されると、突出部９５は、ガイド部材２２に形成された孔９２へ挿入されて、孔９２と係合される（図１０（Ｃ）参照）。孔９２と突出部９５とが係合することにより、ガイド部材２２と筐体１４とが係合する。ガイド部材２２は、筐体１４と係合した状態において、起立状態に保持される。
【００８１】
図１０（Ｃ）に示されるように、ガイド部材２２が起立状態のとき、可撓部９３は、図１０（Ａ）の状態から左右方向９に若干撓んだ状態である。これにより、ガイド部材２２は、可撓部９３によって矢印５０の向きへ押圧されている。
【００８２】
可撓部９３によって押圧されたガイド部材２２は、後方から外側ガイド部材１８を押圧する。ここで、図２に示されるように、外側ガイド部材１８の左右両端部に、左右方向９に延びた突起８７が形成されている。突起８７は、外側ガイド部材１８がガイド部材２２に押圧されることにより、筐体１４の当接面７４（図３参照）に押しつけられる。これにより、外側ガイド部材１８は、図９に示される位置に位置決めされる。その結果、ガイド部材２２も、外側ガイド部材１８に前方から当接され且つ可撓部９３に後方から当接されることにより、図９に示される位置に位置決めされる。
【００８３】
ガイド部材２２が起立状態から矢印５０へ回動される場合、ガイド部材２２が矢印５０と逆向きへ回動される場合と逆の動作が実行される。
【００８４】
以下に詳述する。リブ７８Ａは、前方からリブ５２の下端５２Ａを乗り越える。これにより、リブ７８Ａとリブ５２との係合が解除される。
【００８５】
可撓部９３は、孔９２を構成する側面９６（図１０（Ｃ）参照）に押されることにより、左右方向９に撓む。これにより、突出部９５が孔９２から抜けるため、突出部９５と孔９２との係合が解除される（図１０（Ｂ）参照）。ガイド部材２２が更に矢印５０へ回動されると、ガイド部材２２の回動先端８１が突出部９５よりも後方となる。これにより、左右方向９に撓んでいた可撓部９３は、元の状態に戻る（図１０（Ａ）参照）。
【００８６】
［実施形態の効果］
本実施形態によれば、案内部材９７の突片５１と係合されることにより、ガイド部材２２の左右方向９の中央側においてガイド部材２２が矢印５０へ回動しないように規制して、ガイド部材２２を起立状態に保持できる。これにより、ガイド部材２２を所定の位置に安定して保持でき、かつ装置の小型化が実現される。
【００８７】
また、孔９２により、ガイド部材２２の左右方向９の両側などにおいても、ガイド部材２２が矢印５０へ回動しないように規制して、ガイド部材２２を起立状態に保持できる。
【００８８】
また、案内部材９７の突片５１を、バイパス経路６６を規定するリブ７８Ａと係合させることができる。
【００８９】
また、突片５１により、上面５６をバイパス経路６６へ延出して、上面５６とバイパス経路６６との隙間を小さくできる。突片５１はリブ７８Ａと係合しているので、突片５１の位置が安定して、上面５６からバイパス経路６６へ円滑に記録用紙を案内できる。
【００９０】
［変形例］
上述の実施形態では、突片５１は、リブ７８Ａと係合したが、突片５１は、ガイド部材２２におけるリブ７８Ａ以外の部分、例えば上面７５と係合してもよい。
【００９１】
また、上述の実施形態では、本発明の係合部は孔９２であったが、本発明の係合部は孔９２に限らない。例えば、ガイド部材２２に突出部９５が形成され、可撓部９３に孔９２が形成されていてもよい。この場合、本発明の係合部は突出部９５である。
【００９２】
また、上述の実施形態では、本発明の係合部に相当する孔９２は、ガイド部材２２の上側の左右両端に設けられていたが、本発明の係合部は、内面９１以外の箇所であり且つ筐体１４と係合可能であることを条件として、ガイド部材２２の任意の箇所に設けてもよい。
【符号の説明】
【００９３】
１１  プリンタ部（画像記録装置）
１４  筐体
１８  外側ガイド部材（第２ガイド部材）
２２  ガイド部材（第１ガイド部材）
２４  記録部
３０  給紙カセット（第１トレイ）
４５  給送ローラ
５１  突片
５６  上面（案内面）
６０  第１搬送ローラ（搬送ローラ）
６５Ｂ  直線路（延出部分）
６６  バイパス経路（第２搬送路）
７０  バイパストレイ（第２トレイ）
７５  上面（第２面）
８０  搬送経路（湾曲部分）
９１  内面（第１面）
９７  案内部材
【図１】
2015193449.tif 000003
【図２】
2015193449.tif 000004
【図３】
2015193449.tif 000005
【図４】
2015193449.tif 000006
【図５】
2015193449.tif 000007
【図６】
2015193449.tif 000008
【図７】
2015193449.tif 000009
【図８】
2015193449.tif 000010
【図９】
2015193449.tif 000011
【図１０】
2015193449.tif 000012
【図１１】
2015193449.tif 000013